(57)【要約】【課題】磁極を交互に配置した磁気治療器具において、人体を挟むようにして使用する場合に、磁気治療器具の極性の位置を確認する必要をなくしてより簡単に使用できるようにする。【解決手段】直方体状の磁性体からなる第一磁石保持体と、前記第一磁石保持体の一面に吸着して固定される奇数個の磁石からなる第一磁石体と、直方体状の磁性体からなる第二磁石保持体と、前記第二磁石保持体の一面に前記第一磁石と同じ配置で前記第二磁石保持体に吸着して固定される前記第一磁石と同数の磁石からなる第二磁石体とからなる磁気治療器具において、前記第一磁石保持体と前記第二磁石保持体とは、第一磁石体のすべての磁石と、第二磁石体のすべての磁石とが前記第一磁石保持体及び前記第二磁石保持体を挟んで互いに同極同士で向かい合うように位置づける。【選択図】  図２
2015139592.tif 000002
【特許請求の範囲】
【請求項１】
直方体状の磁性体からなる第一磁石保持体と、
前記第一磁石保持体の一面に吸着して固定される奇数個の磁石からなる第一磁石体と、
直方体状の磁性体からなる第二磁石保持体と、
前記第二磁石保持体の一面に前記第一磁石と同じ配置で前記第二磁石保持体に吸着して固定される前記第一磁石と同数の磁石からなる第二磁石体と
からなる磁気治療器具であり、
前記第一磁石保持体と前記第二磁石保持体とは、第一磁石体のすべての磁石と、第二磁石体のすべての磁石とが前記第一磁石保持体及び前記第二磁石保持体を挟んで互いに同極同士で向かい合うように位置づけられる
磁気治療器具。
【請求項２】
前記第一磁石保持体及び前記第二磁石保持体とは一体の磁性体により形成されるものである請求項１に記載の磁気治療器具。
【請求項３】
前記第一磁石体は３以上の磁石からなり、各磁石は極性の向きが交互に変わるように隣接して前記第一磁石保持体に吸着するものである請求項１又は２に記載の磁気治療器具。
【請求項４】
前記第一磁石体は１の磁石からなるものである請求項１又は２に記載の磁気治療器具。
【請求項５】
直方体状の磁性体からなる第三磁石保持体と、
前記第三磁石保持体の一面に吸着して固定される奇数個の磁石からなる第三磁石体と、
直方体状の磁性体からなる第四磁石保持体と、
前記第四磁石保持体の一面に前記第三磁石と同じ配置で前記第四磁石保持体に吸着して固定される前記第三磁石と同数の磁石からなる第四磁石体と
を有し、
前記第三磁石保持体と前記第四磁石保持体とは、第三磁石体のすべての磁石と、第四磁石体のすべての磁石とが前記第三磁石保持体及び前記第四磁石保持体を挟んで互いに同極同士で向かい合い、さらに、前記第三磁石体と第四磁石体とが互いに向かい合う面が、前記前記第一磁石体と第二磁石体とが互いに向かい合う面に直交するように位置づけられる
請求項１から４のいずれか１項に記載の磁気治療器具。
【請求項６】
前記第三磁石保持体と前記第一磁石保持体、前記第二磁石保持体、前記第四磁石保持体のうちの少なくとも１、及び／又は、前記第四磁石保持体と前記第一磁石保持体、前記第二磁石保持体のうちの少なくとも１は一体の磁性体により形成されるものである請求項５に記載の磁気治療器具。
【請求項７】
非磁性体かつ導電性の素材からなる外表面を形成する外部カバーを有する請求項１から６のいずれか１項に記載の磁気治療器具。
【請求項８】
第一磁石体および第二磁石体の中央に位置する磁石の吸着面側の極性がS極である請求項１から７のいずれか１項に記載の磁気治療具により形成される第一の磁気治療器具と、
第一磁石体および第二磁石体の中央に位置する磁石の吸着面側の極性がN極である請求項１から７のいずれか１項に記載の磁気治療具により形成される第二の磁気治療器具と
からなる磁気治療器具セット。
【発明の詳細な説明】
【技術分野】
【０００１】
本発明は、磁気を人体に接触又は近接させることで凝りや血行の改善を図るために使用する器具に関する。
【背景技術】
【０００２】
磁気治療器具は人体に磁石を接触又は近接させることで血液や筋肉に作用を及ぼし、凝りや血行改善等の治療を行うものとして広く用いられている。磁気治療器具は多くの場合、Ｓ極又はＮ極側を体に接触等させることで、人体に磁気を通すものが多い。
【発明の概要】
【発明が解決しようとする課題】
【０００３】
ところで、磁気治療器具の使用方法として２つの磁気治療器具で人体を挟み、人体を貫通するように磁力線を通す場合がある。このような場合、向かい合う磁気治療器具においてＳ極とＮ極とが互いに相対するように位置づけられる必要があるが、外観や見た目ではいずれがＳ極で、いずれがＮ極かはわからないのでなんらかの方法で確認をする必要が生じ、施術者に余計な手間を取らせる結果となっていた。
本発明は、このような問題に鑑みて、磁極を交互に配置した磁気治療器具において、人体を挟むようにして使用する場合に、磁気治療器具の極性の位置を確認する必要をなくしてより簡単に使用できるようにすることを課題とする。
【課題を解決するための手段】
【０００４】
上記課題を解決するために、本発明は次のような構成を有する。
請求項１に記載の発明は、直方体状の磁性体からなる第一磁石保持体と、前記第一磁石保持体の一面に吸着して固定される奇数個の磁石からなる第一磁石体と、直方体状の磁性体からなる第二磁石保持体と、前記第二磁石保持体の一面に前記第一磁石と同じ配置で前記第二磁石保持体に吸着して固定される前記第一磁石と同数の磁石からなる第二磁石体と
からなる磁気治療器具であり、前記第一磁石保持体と前記第二磁石保持体とは、第一磁石体のすべての磁石と、第二磁石体のすべての磁石とが前記第一磁石保持体及び前記第二磁石保持体を挟んで互いに同極同士で向かい合うように位置づけられるものである。
請求項２に記載の発明は、前記磁気治療器具において、前記第一磁石保持体及び前記第二磁石保持体とは一体の磁性体により形成されるものである。
請求項３に記載の発明は、前記磁気治療器具において、前記第一磁石体は３以上の磁石からなり、各磁石は極性の向きが交互に変わるように隣接して前記第一磁石保持体に吸着するものである。
請求項４に記載の発明は、請求項１又は２に記載の磁気治療器具において、前記第一磁石体は１の磁石からなるものである。
【０００５】
請求項５に記載の発明は、前記磁気治療器具において、直方体状の磁性体からなる第三磁石保持体と、前記第三磁石保持体の一面に吸着して固定される奇数個の磁石からなる第三磁石体と、直方体状の磁性体からなる第四磁石保持体と、前記第四磁石保持体の一面に前記第三磁石と同じ配置で前記第四磁石保持体に吸着して固定される前記第三磁石と同数の磁石からなる第四磁石体とを有し、前記第三磁石保持体と前記第四磁石保持体とは、第三磁石体のすべての磁石と、第四磁石体のすべての磁石とが前記第三磁石保持体及び前記第四磁石保持体を挟んで互いに同極同士で向かい合い、さらに、前記第三磁石体と第四磁石体とが互いに向かい合う面が、前記前記第一磁石体と第二磁石体とが互いに向かい合う面に直交するように位置づけられるものである。
請求項６に記載の発明は、請求項５に記載の磁気治療器具において、前記第三磁石保持体と前記第一磁石保持体、前記第二磁石保持体、前記第四磁石保持体のうちの少なくとも１、及び／又は、前記第四磁石保持体と前記第一磁石保持体、前記第二磁石保持体のうちの少なくとも１は一体の磁性体により形成されるものである。
【０００６】
請求項７に記載の発明は、前記磁気治療器具において、非磁性体かつ導電性の素材からなる外表面を形成する外部カバーを有するものである。
請求項８に記載の発明は、第一磁石体および第二磁石体の中央に位置する磁石の吸着面側の極性がS極である前記磁気治療具により形成される第一の磁気治療器具と、第一磁石体および第二磁石体の中央に位置する磁石の吸着面側の極性がN極である前記磁気治療具により形成される第二の磁気治療器具とからなる磁気治療器具セットである。なお、磁石体を構成する磁石が一つの場合は、当該磁石が中央に位置する磁石となる。
【発明の効果】
【０００７】
以上のような構成により本発明は次のような効果を奏する。
請求項１に記載の発明は、第一磁石体及び第二磁石体は、奇数の磁石がまったく同じように配置されており、外側に向かう磁極は互いに同じものとなる。従って、これとは反対の極性で配置された他の本発明に係る磁気治療具に対して、第一磁石体及び第二磁石体のいずれであっても正対するように向かい合わせれば、必ず、配置されたそれぞれの磁石のN極とS極とが向かい合うことになるので、極性の位置を確認する必要がなく、磁気治療具で人体を挟んで治療するような場合に、簡易かつ迅速に使用することができる。
請求項２に記載の発明は、第一磁石保持体と第二磁石保持体とを一体の磁性体により形成することで部品点数が少なくなり構造を簡易にすることができる。
請求項３に記載の発明は、第一磁石体を３以上の磁石により形成することで、第一磁石体及びこれと同じ磁石配置となる第二磁石体の接触面において、磁力線が隣接する磁石間に働くので、単体で使用する場合に、体内に磁力を及ぼしやすい。
請求項４に記載の発明は、第一磁石体を１の磁石により形成することで、人体を挟持して使用する際に、磁力線を単純に対向する磁石同士で形成することができるので人体を貫く磁力線を多くすることができる。
【０００８】
請求項５に記載の発明は、第一磁石体及び第二磁石体に加えて、同様の構成を有する第三磁石体及び第四磁石体を９０度異なる方向に設けることで、第三磁石体及び第四磁石体に関しても磁気治療具で人体を挟んで治療するような場合に極性の位置を確認する必要がなく簡易かつ迅速に使用することができ、また、第一磁石体及び第二磁石体と第三磁石体及び第四磁石体との幅、形状等を変えることで使用場所に応じて選択的に使用することができる。
請求項６に記載の発明は、第三磁石保持体、第四磁石保持体、第一磁石保持体、第二磁石保持体を適宜、一体の磁性体により形成することで、やはり部品点数が少なくなり構造を簡易にすることができる。
【０００９】
請求項７に記載の発明は、導電性の外部カバーを設けることで人体の静電気を除去した状態で磁気治療を行うことができる。
請求項８に記載の発明は、それぞれの磁気治療器具は磁石部分を正対させると必ず吸着するように配置されるので、簡易かつ迅速に使用することができる。
【図面の簡単な説明】
【００１０】
【図１】実施形態に係る磁気治療器具の斜視図である。
【図２】実施形態に係る磁気治療器具内の磁石ユニットの斜視図である。
【図３】ペアとなる磁気治療器具内の磁石ユニットの斜視図である。
【図４】治療状態の例を示す斜視図である。
【図５】磁気治療器具をペアで使用した場合の磁石ユニットの磁石配置を示す図である。
【図６】変形例に係る磁気治療器具内の磁石ユニットの斜視図である。
【図７】図６の磁石ユニットに対してペアとなる磁気治療器具内の磁石ユニットの斜視図である。
【図８】（ａ）は磁気治療器具の第二の変形例を示す図であり、（ｂ）は磁気治療器具の第三の変形例を示す図である。
【発明を実施するための形態】
【００１１】
以下、本発明の実施の形態について、図面を参照しながら説明する。
図１に本実施形態に係る磁気治療器具Ｘの斜視図を示す。磁気治療器具Ｘは略直方体の箱体からなる外部カバー４０内部に磁石ユニットＸaを封入したものである。外部カバー４０は銅製で外面に硬質クロムめっきが施されている。このように導体で外部カバー４０を構成することで人体に接触させたときに静電気を除去し、治療効果を高めることができる。また、外部カバー４０の面積が最も小さい一面は中央から突出することで平面視アールの付いた略三角形状に形成されている。外部カバー４０には、内部に磁石ユニットを入れるための蓋４１が設けられる。
【００１２】
図２に磁気治療器具Ｘ内部に設けられる磁石ユニットＸaの斜視図を示す。磁石ユニットＸaは、第一磁石体１０、第二磁石体２０、磁石保持体３０とから構成される。磁石保持体３０は直方体棒状の鉄により形成される。第一磁石体１０は１つの磁石１１により形成され、磁石１１は磁石保持体３０の一面に吸着し固定される。第二磁石体２０は１つの第一磁石体１０の磁石１１と同じ磁石２１により形成される。磁石２１は磁石保持体３０の第一磁石体１０が吸着している面に相対する面に、第一磁石体１０と第二磁石体２０の吸着面同士が同じ極性となるように吸着固定される。以上のような構成により磁石ユニットＸaは、磁石保持体３０を挟んで両側に磁石が対称に配置され、外向きの磁石の磁極は同じものとなる。図２に示す磁石ユニットＸaは外向きの磁極はS極である場合を例示しているが、これをN極としてもよく、ペアで使用する場合は、磁石の外向きの磁極がS極のものとN極のものとを一組として使用する。
【００１３】
以上のような構成を有する磁気治療器具Ｘの使用方法及び作用について説明する。磁気治療器具Ｘは単体で一般的な磁気治療器具と同様の使用をすることができるが、構造的な特徴を生かす使用方法は２つの磁気治療器具Ｘを用いるものである。具体的的には、図２に示した第一磁石体１０、第二磁石体２０の外向きの磁極がＳ極である磁石ユニットＸaを有する磁気治療器具Ｘ(1)と、図３に示す第一磁石体１０、第二磁石体２０の外向きの磁極がＮ極である磁石ユニットＸbを有する磁気治療器具Ｘ(2)とをペアとして用いる。
使用に際しては図４に示すように磁気治療器具Ｘ(1)と磁気治療器具Ｘ(2)とで人体Ｂの治療箇所を挟むように配置する。この際、磁気治療器具Ｘ(1)と磁気治療器具Ｘ(2)の磁極がある面同士が正対するように位置づけると、図５に示すように、磁石が異極同士で向き合うこととなり、磁力線を磁気治療器具Ｘ(1)と磁気治療器具Ｘ(2)との間に発生させることができる。第一磁石体１０と第二磁石体２０とは対称なので、磁気治療器具Ｘ(1)、Ｘ(2)の人体に接触させる側は、第一磁石体１０か第二磁石体２０かを問わず、さらに、一方の磁気治療器具を反転させても、向き合う磁石は必ず異極同士が向き合うこととなる。このように人体を挟むように治療する際に、磁気治療器具Ｘ(1)と磁気治療器具Ｘ(2)とが向き合うことだけ気をつければ、磁気治療器具のいずれの接触面を選択するかを考慮する必要なく、磁力線を人体に通すことができるので、治療を迅速かつ簡易に行うことができる。さらにいうと、磁石ユニットは６面体であり、対向する面は３組あるが、残りの２組の対向する面に関しても、磁気治療器具Ｘ(1)と磁気治療器具Ｘ(2)とは正対させると必ず吸着し合うので、磁力を弱めて治療を行いたい場合などにいずれの面を用いても磁極を確認することなく狭持した箇所に磁力を及ぼすことができる。
【００１４】
なお、上記実施形態では第一磁石体１０及び第二磁石体２０はそれぞれ１の磁石により形成したが、これを３以上の奇数の磁石により構成することができる。図６に第一磁石体１０及び第二磁石体２０をそれぞれ５個の磁石１１、２１により形成した磁石ユニットＶaの斜視図を示す。磁石ユニットＶａの第一磁石体１０は５つの磁石１１により形成され、それぞれの磁石１１は磁石保持体３０の一面に長手方向に沿って並んで吸着し固定される。また、各磁石１１は吸着面の極性が交互に変わるように配置される。磁石１１は５つで奇数であるので両端に位置する磁石１１は同じ方向を向く。第二磁石体２０は５つの第一磁石体１０の磁石１１と同じ磁石２１により形成される。それぞれの磁石２１は磁石保持体３０の第一磁石体１０が吸着している面に相対する面に、吸着面の極性が交互に変わるように長手方向に沿って並んで吸着し固定される。第一磁石体１０と第二磁石体２０とは向かい合う磁石の吸着面同士が同じ極性となるようにされ、磁石保持体３０を挟んで対称となる。以上のような構成により磁石ユニットＶaは、磁石保持体３０を挟んで両側に磁石が磁極が交互に変わるように配置され、両端を構成する４箇所の磁極は同じものとなる。このような構成でも、図７に示す磁石ユニットＶaに対して極性を反対にした磁石ユニットＶbと共に人体を挟む際に使用すると、同じ形状の面同士を正対させると必ず各磁石は異極同士が向き合うように位置づけることができる。
【００１５】
また、上記実施形態では磁石保持体３０を第一磁石体１０及び第二磁石体２０に対して一本の鉄の棒体により共用しているが、図８（ａ）に示す磁石ユニットＹaのように第一磁石体１０、第二磁石体２０のそれぞれを別々の磁石保持体３０Ａ、３０Ｂに吸着させて、それぞれの磁石保持体３０Ａ、３０Ｂを並列に配置するようにしてもよい。なお、磁石保持体３０Ａ、３０Ｂの間隔をあけると磁石の磁力が向上することが観測された。
さらに、図８（ｂ）に示す磁石ユニットＺaのように第一磁石体１０、第二磁石体２０の互いに面する面に直交する面にそれぞれが面する第三磁石体５０、第四磁石体６０を設けるようにしてもよい。磁石ユニットＺaは、図８（ａ）に示す磁石ユニットＹａに、第三磁石体５０、第四磁石体６０を設けたものである。第三磁石体５０、第四磁石体６０は、それぞれ３つの磁石５１、６１から構成され、各磁石５１、６１は互いに向き合う極性が一致するように、また、各磁石体において吸着する極性が交互に変わるように配列されそれぞれ独立した磁石保持体７０Ａ、７０Ｂに吸着固定されている。なお、第三磁石体５０、第四磁石体６０は、直方体状の磁気治療器具の最も面積が小さい面に設けられるので、外部カバー４０における最も面積が小さい面は両方ともに平らに形成する。また、図８（ｂ）において磁石保持体３０Ａ、３０Ｂ、７０Ａ、７０Ｂは少なくとも２以上に関して１体に形成されるようにしてもよい。
さらに、第五磁石体、第六磁石体を磁石体が設けられていない、対向する２面に設けることで、直方体６面すべてに磁石を設けるようにすることもできる。
【符号の説明】
【００１６】
Ｘ  磁気治療器具
Ｘa、Ｘb、Ｖa、Ｖb、Ｙa、Ｚa  磁石ユニット
１０  第一磁石体
１１  磁石
２０  第二磁石体
２１  磁石
３０、３０Ａ、３０Ｂ、７０Ａ、７０Ｂ  磁石保持体
４０  外部カバー
５０  第三磁石体
５１  磁石
６０  第四磁石体
６１  磁石
【図１】
2015139592.tif 000003
【図２】
2015139592.tif 000004
【図３】
2015139592.tif 000005
【図４】
2015139592.tif 000006
【図５】
2015139592.tif 000007
【図６】
2015139592.tif 000008
【図７】
2015139592.tif 000009
【図８】
2015139592.tif 000010
【手続補正書】
【提出日】平成27年1月27日(2015.1.27)
【手続補正１】
【補正対象書類名】特許請求の範囲
【補正対象項目名】全文
【補正方法】変更
【補正の内容】
【特許請求の範囲】
【請求項１】
直方体状の磁性体からなる第一磁石保持体と、
３以上の磁石からなり、各磁石は極性の向きが交互に変わるように隣接して前記第一磁石保持体の一面に吸着して固定される第一磁石体と、
直方体状の磁性体からなる第二磁石保持体と、
前記第二磁石保持体の一面に前記第一磁石と同じ配置で前記第二磁石保持体に吸着して固定される前記第一磁石と同数の磁石からなる第二磁石体と
からなる磁気治療器具であり、
前記第一磁石保持体と前記第二磁石保持体とは、第一磁石体のすべての磁石と、第二磁石体のすべての磁石とが前記第一磁石保持体及び前記第二磁石保持体を挟んで互いに同極同士で向かい合うように位置づけられる
磁気治療器具。
【請求項２】
前記第一磁石保持体及び前記第二磁石保持体とは一体の磁性体により形成されるものである請求項１に記載の磁気治療器具。
【請求項３】
直方体状の磁性体からなる第三磁石保持体と、
前記第三磁石保持体の一面に吸着して固定される奇数個の磁石からなる第三磁石体と、
直方体状の磁性体からなる第四磁石保持体と、
前記第四磁石保持体の一面に前記第三磁石と同じ配置で前記第四磁石保持体に吸着して固定される前記第三磁石と同数の磁石からなる第四磁石体と
を有し、
前記第三磁石保持体と前記第四磁石保持体とは、第三磁石体のすべての磁石と、第四磁石体のすべての磁石とが前記第三磁石保持体及び前記第四磁石保持体を挟んで互いに同極同士で向かい合い、さらに、前記第三磁石体と第四磁石体とが互いに向かい合う面が、前記前記第一磁石体と第二磁石体とが互いに向かい合う面に直交するように位置づけられる
請求項１又は２に記載の磁気治療器具。
【請求項４】
非磁性体かつ導電性の素材からなる外表面を形成する外部カバーを有する請求項１から３のいずれか１項に記載の磁気治療器具。
【請求項５】
第一磁石体および第二磁石体の中央に位置する磁石の吸着面側の極性がＳ極である請求項１から４のいずれか１項に記載の磁気治療具により形成される第一の磁気治療器具と、
第一磁石体および第二磁石体の中央に位置する磁石の吸着面側の極性がＮ極である請求項１から４のいずれか１項に記載の磁気治療具により形成される第二の磁気治療器具と
からなる磁気治療器具セット。
【手続補正２】
【補正対象書類名】明細書
【補正対象項目名】０００５
【補正方法】変更
【補正の内容】
【０００５】  上記課題を解決するために、本発明は次のような構成を有する。
請求項１に記載の発明は、直方体状の磁性体からなる第一磁石保持体と、３以上の磁石からなり、各磁石は極性の向きが交互に変わるように隣接して前記第一磁石保持体の一面に吸着して固定される第一磁石体と、直方体状の磁性体からなる第二磁石保持体と、前記第二磁石保持体の一面に前記第一磁石と同じ配置で前記第二磁石保持体に吸着して固定される前記第一磁石と同数の磁石からなる第二磁石体とからなる磁気治療器具であり、前記第一磁石保持体と前記第二磁石保持体とは、第一磁石体のすべての磁石と、第二磁石体のすべての磁石とが前記第一磁石保持体及び前記第二磁石保持体を挟んで互いに同極同士で向かい合うように位置づけられるものである。
請求項２に記載の発明は、前記磁気治療器具において、前記第一磁石保持体及び前記第二磁石保持体とは一体の磁性体により形成されるものである。
【手続補正３】
【補正対象書類名】明細書
【補正対象項目名】０００６
【補正方法】変更
【補正の内容】
【０００６】請求項３に記載の発明は、前記磁気治療器具において、直方体状の磁性体からなる第三磁石保持体と、前記第三磁石保持体の一面に吸着して固定される奇数個の磁石からなる第三磁石体と、直方体状の磁性体からなる第四磁石保持体と、前記第四磁石保持体の一面に前記第三磁石と同じ配置で前記第四磁石保持体に吸着して固定される前記第三磁石と同数の磁石からなる第四磁石体とを有し、前記第三磁石保持体と前記第四磁石保持体とは、第三磁石体のすべての磁石と、第四磁石体のすべての磁石とが前記第三磁石保持体及び前記第四磁石保持体を挟んで互いに同極同士で向かい合い、さらに、前記第三磁石体と第四磁石体とが互いに向かい合う面が、前記前記第一磁石体と第二磁石体とが互いに向かい合う面に直交するように位置づけられるものである。
【手続補正４】
【補正対象書類名】明細書
【補正対象項目名】０００７
【補正方法】変更
【補正の内容】
【０００７】請求項４に記載の発明は、前記磁気治療器具において、非磁性体かつ導電性の素材からなる外表面を形成する外部カバーを有するものである。
請求項５に記載の発明は、第一磁石体および第二磁石体の中央に位置する磁石の吸着面側の極性がＳ極である前記磁気治療具により形成される第一の磁気治療器具と、第一磁石体および第二磁石体の中央に位置する磁石の吸着面側の極性がＮ極である前記磁気治療具により形成される第二の磁気治療器具とからなる磁気治療器具セットである。なお、磁石体を構成する磁石が一つの場合は、当該磁石が中央に位置する磁石となる。
【手続補正５】
【補正対象書類名】明細書
【補正対象項目名】０００８
【補正方法】変更
【補正の内容】
【０００８】  以上のような構成により本発明は次のような効果を奏する。
請求項１に記載の発明は、第一磁石体及び第二磁石体は、奇数の磁石がまったく同じように配置されており、外側に向かう磁極は互いに同じものとなる。従って、これとは反対の極性で配置された他の本発明に係る磁気治療具に対して、第一磁石体及び第二磁石体のいずれであっても正対するように向かい合わせれば、必ず、配置されたそれぞれの磁石のＮ極とＳ極とが向かい合うことになるので、極性の位置を確認する必要がなく、磁気治療具で人体を挟んで治療するような場合に、簡易かつ迅速に使用することができる。また、第一磁石体を３以上の磁石により形成することで、第一磁石体及びこれと同じ磁石配置となる第二磁石体の接触面において、磁力線が隣接する磁石間に働くので、単体で使用する場合に、体内に磁力を及ぼしやすい。
請求項２に記載の発明は、第一磁石保持体と第二磁石保持体とを一体の磁性体により形成することで部品点数が少なくなり構造を簡易にすることができる。
【手続補正６】
【補正対象書類名】明細書
【補正対象項目名】０００９
【補正方法】変更
【補正の内容】
【０００９】請求項３に記載の発明は、第一磁石体及び第二磁石体に加えて、同様の構成を有する第三磁石体及び第四磁石体を９０度異なる方向に設けることで、第三磁石体及び第四磁石体に関しても磁気治療具で人体を挟んで治療するような場合に極性の位置を確認する必要がなく簡易かつ迅速に使用することができ、また、第一磁石体及び第二磁石体と第三磁石体及び第四磁石体との幅、形状等を変えることで使用場所に応じて選択的に使用することができる。
【手続補正７】
【補正対象書類名】明細書
【補正対象項目名】００１０
【補正方法】変更
【補正の内容】
【００１０】請求項４に記載の発明は、導電性の外部カバーを設けることで人体の静電気を除去した状態で磁気治療を行うことができる。
請求項５に記載の発明は、それぞれの磁気治療器具は磁石部分を正対させると必ず吸着するように配置されるので、簡易かつ迅速に使用することができる。